(57)【要約】【課題】開閉部を開閉操作する操作機構部の機械的強度の向上を図り、部品点数を削減し軽量化する。【解決手段】遮断用、断路用の真空バルブ３、８を絶縁材料でモールドした開閉部１ａと、開閉部１ａを開閉操作するソレノイドコイル１１やアーマチュア１２を有する操作機構１３とを備え、開閉部１ａと操作機構１３との軸方向を水平配置し、操作機構１３を機構収納筒２０に収納し、この機構収納筒２０の軸方向を開閉部１ａに固定したことを特徴とする。【選択図】  図１
2013004427.tif 000002
【特許請求の範囲】
【請求項１】
真空バルブを絶縁材料でモールドした開閉部と、
前記開閉部を開閉操作する操作機構とを備え、
前記開閉部と前記操作機構との軸方向を水平配置し、
前記操作機構を機構収納筒に収納し、前記開閉部に固定したことを特徴とする固体絶縁スイッチギヤ。
【請求項２】
前記機構収納筒は、四枚の側板のそれぞれの一側辺と他側辺とを固定して形成したことを特徴とする請求項１に記載の固体絶縁スイッチギヤ。
【請求項３】
前記機構収納筒は、Ｌ字状に折り曲げた二枚の側板のそれぞれの一側辺と他側辺とを固定して形成したことを特徴とする請求項１に記載の固体絶縁スイッチギヤ。
【請求項４】
前記開閉部は、遮断部と断路部との少なくとも一方からなることを特徴とする請求項１乃至請求項３のいずれか１項に記載の固体絶縁スイッチギヤ。
【請求項５】
前記機構収納筒の板厚を、前記操作機構を支持固定する支持部材よりも薄くしたことを特徴とする請求項１乃至請求項４のいずれか１項に記載の固体絶縁スイッチギヤ。
【発明の詳細な説明】
【技術分野】
【０００１】
本発明の実施形態は、電気部材を絶縁材料でモールド（注型）し、電源系統を構成する固体絶縁スイッチギヤに関する。
【背景技術】
【０００２】
従来、真空バルブのような電気部材をエポキシ樹脂などの絶縁材料でモールドし、全体形状の縮小化を図った固体絶縁スイッチギヤが知られている。真空バルブの開閉操作は、軸方向に連結された電磁アクチュエータのような操作機構で行われている（例えば、特許文献１参照。）。
【０００３】
この種の固体絶縁スイッチギヤは、図４に示すように、箱体１内が中間部の矩形状のフランジ２を境として、図示上方向の開閉部１ａと図示下方向の操作機構部１ｂに分かれて構成されている。
【０００４】
開閉部１ａには、遮断用真空バルブ３をエポキシ樹脂でモールドした遮断部４が設けられている。遮断部４の一方の主回路端には、コ字状のケーブルヘッド５が接続され、電力ケーブル６が接続されるようになっている。遮断部４の他方の主回路端には、連結導体をモールドした可動絶縁部７の一方端が接続されている。可動絶縁部７は、フランジ２に固定されている。可動絶縁部７の他方端には、断路用真空バルブ８をエポキシ樹脂でモールドした断路部９の一方の主回路端が接続されている。他方の主回路端には、隣接盤への接続を行う母線１０が接続されている。
【０００５】
操作機構部１ｂには、遮断部４、断路部９を開閉操作するソレノイドコイル１１、アーマチュア１２などを有する電磁アクチュエータからなる操作機構１３が設けられている。アーマチュア１２には、軸方向に操作軸１４が連結されており、フランジ２を移動自在に貫通し、遮断部４、断路部９に連結されている。フランジ２と床板１５間の四隅には、支柱１６が固定されている。支柱１６の中間部には、操作機構１３を固定する固定板１７が固定されている。
【０００６】
このように開閉部１ａと操作機構部１ｂが垂直方向で構成されていると、開閉部１ａの重量とともに、数トンとなる開閉操作力を操作機構部１ｂで支えなければならない。このため、支柱１６の形状を大形形状のＬ字状のアングルにしたり、数〜十数ｍｍ幅の角柱にしたりして、機械的強度を増さなければならず、重量物となっていた。また、遮断部４、断路部９に開閉操作力をスムーズに伝えるためには、各部に変形などが起きないようにしなければならず、図示していないが、補強部材を数多く用いなければならなかった。このため、部品点数が増加していた。
【先行技術文献】
【特許文献】
【０００７】
【特許文献１】特開２００５−６４８３号公報
【発明の概要】
【発明が解決しようとする課題】
【０００８】
本発明が解決しようとする課題は、開閉部１ａを開閉操作する操作機構部１ｂの機械的強度を低下させることなく軽量化を図り得る固体絶縁スイッチギヤを提供することにある。
【課題を解決するための手段】
【０００９】
上記課題を解決するために、実施形態の固体絶縁スイッチギヤは、真空バルブを絶縁材料でモールドした開閉部と、前記開閉部を開閉操作する操作機構とを備え、前記開閉部と前記操作機構との軸方向を水平配置し、前記操作機構を機構収納筒に収納し、前記開閉部に固定したことを特徴とする。
【図面の簡単な説明】
【００１０】
【図１】本発明の実施例１に係る固体絶縁スイッチギヤの構成を示す側面図。
【図２】本発明の実施例１に係る固体絶縁スイッチギヤに用いる機構収納筒を示す斜視図。
【図３】本発明の実施例２に係る固体絶縁スイッチギヤに用いる機構収納筒を示す斜視図。
【図４】従来の固体絶縁スイッチギヤの構成を示す側面図。
【発明を実施するための形態】
【００１１】
以下、図面を参照して本発明の実施例を説明する。
【実施例１】
【００１２】
先ず、本発明の実施例１に係る固体絶縁スイッチギヤを図１、図２を参照して説明する。図１は、本発明の実施例１に係る固体絶縁スイッチギヤの構成を示す側面図、図２は、本発明の実施例１に係る固体絶縁スイッチギヤに用いる機構収納筒を示す斜視図である。なお、各図において、従来と同様の構成部分については、同一符号を付した。
【００１３】
図１に示すように、固体絶縁スイッチギヤは、箱体１内の中間部に垂直に設けられた矩形状のフランジ２を境として、図示右方向の開閉部１ａと図示左方向の操作機構部１ｂに分かれて構成されている。即ち、開閉部１ａと操作機構部１ｂの軸方向が水平配置となっている。
【００１４】
開閉部１ａには、遮断用真空バルブ３をエポキシ樹脂でモールドした遮断部４が設けられている。遮断部４の一方の主回路端には、L字状のケーブルヘッド５が接続され、電力ケーブル６が接続されるようになっている。遮断部４の他方の主回路端には、連結導体をモールドした可動絶縁部７の一方端が接続されている。可動絶縁部７は、フランジ２に固定されている。可動絶縁部７の他方端には、断路用真空バルブ８をエポキシ樹脂でモールドした断路部９の一方の主回路端が接続されている。他方の主回路端には、隣接盤への接続を行う母線１０が接続されている。
【００１５】
操作機構部１ｂには、遮断部４、断路部９を開閉操作するソレノイドコイル１１、アーマチュア１２などを有する電磁アクチュエータからなる操作機構１３が設けられている。アーマチュア１２には、軸方向に操作軸１４が連結されており、フランジ２を移動自在に貫通し、遮断部４、断路部９に連結されている。そして、操作機構１３は、矩形状の機構収納筒２０に収納されている。機構収納筒２０には、中間部に操作機構１３を固定する固定板１７が固定されている。フランジ２の図示下部の一側辺は、高さ調整用の架台２１に固定されている。
【００１６】
次に、機構収納筒２０の構成を図２を参照して説明する。
【００１７】
図２に示すように、機構収納筒２０は、四枚の板状の側板２２、２３、２４、２５のうち、二枚の側板２２、２４の両端部を折り曲げてコ字状とし、ボルト２６を貫通させて互いを固定している。即ち、側板２２、２３、２４、２５の一側辺と他側辺をそれぞれ固定して矩形状を形成している。
【００１８】
機構収納筒２０端部には、開口部２７が形成される。開口部２７と対向する端部は、L字状に折り曲げてボルト２８を貫通させ、フランジ２に固定されている。側板２２、２３、２４、２５の板厚は、１〜２ｍｍの所定の厚さであり、フランジ２や固定板１７よりも薄板となっている。
【００１９】
これにより、垂直配置のフランジ２を挟んで、一方面に開閉部１ａ、他方面に操作機構部１ｂを固定し、これらを横方向配置の水平配置としているので、操作機構部１ｂ側に開閉部１ａの重量が加わることがない。また、操作機構１３を四枚の側板２２、２３、２４、２５を組合せて矩形状とした機構収納筒２０に収納しているので、数トンの開閉操作力に耐え得るものとなり、従来のような重量物の支柱などが不要であり、部品点数の削減を図れる。
【００２０】
これは、機構収納筒２０を矩形状（筒状）とし、開閉操作力が加わる軸方向を開閉部１ａに固定することにより、薄板であっても機械的強度を大幅に向上させることができるためである。また、機構収納筒２０では、操作機構１３を支持固定するフランジ２や固定板１７などの支持部材よりも板厚を薄くでき、軽量化することができる。更に、フランジ２と対向する側には、開口部２７が形成されるので、操作機構１３などの保守点検を容易とすることができる。
【００２１】
なお、ここで用いた垂直配置、水平配置とは、組立公差や製造公差などによって斜め配置になるものを含める。また、製造時や保管時に箱体１を横倒にし、例えば操作機構部１ｂが垂直配置になっていても、通常の使用状態時を指し、操作機構部１ｂは水平配置されているものとする。
【００２２】
上記実施例１の固体絶縁スイッチギヤによれば、開閉部１ａと操作機構部１ｂを水平配置とし、操作機構１３を機構収納筒２０に収納しているので、操作機構部１ｂに開閉部１ａの重量が加わらず、また、機構収納筒２０単独で開閉操作力に充分に耐え得るものとなり、操作機構部１ｂを軽量化することができる。
【００２３】
上記実施例１では、開閉部１ａを遮断部４、断路部９、母線１０、ケーブルヘッド５などを用いて説明したが、これらの全てを用いる必要はない。電源系統によっては、遮断部４と断路部９の一方を用いることがあり、ここでは、少なくとも一方が用いられるものを開閉部１ａと称する。また、開閉部１ａにおいては、遮断部４と断路部９の一方が必須の構成となる。
【実施例２】
【００２４】
次に、本発明の実施例２に係る固体絶縁スイッチギヤを図３を参照して説明する。図３は、本発明の実施例２に係る固体絶縁スイッチギヤに用いる機構収納筒を示す斜視図である。なお、この実施例２が実施例１と異なる点は、側板の形状である。図３において、実施例１と同様の構成部分においては、同一符号を付し、その詳細な説明を省略する。
【００２５】
図３に示すように、板の中間部をＬ字状に折り曲げた二枚の側板２９、３０をボルト２６で固定し、機構収納筒２０を構成している。開口部２７と対向する端部は、L字状に折り曲げ、ボルト２８を貫通させてフランジ２に固定している。
【００２６】
上記実施例２の固体絶縁スイッチギヤによれば、実施例１による効果のほかに、機構収納筒２０の組立てを容易とすることができる。
【００２７】
以上述べたような実施形態によれば、操作機構部の部品点数を削減することができ、軽量化することができる。
【００２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２９】
１  箱体
１ａ  開閉部
１ｂ  操作機構部
２  フランジ
３、８  真空バルブ
４  遮断部
５  ケーブルヘッド
６  電力ケーブル
７  可動絶縁部
９  断路部
１０  母線
１１  ソレノイドコイル
１２  アーマチュア
１３  操作機構
１４  操作軸
１５  床板
１６  支柱
１７  固定板
２０  機構収納筒
２１  架台
２２、２３、２４、２５、２９、３０  側板
２６、２８  ボルト
２７  開口部
【図１】
2013004427.tif 000003
【図２】
2013004427.tif 000004
【図３】
2013004427.tif 000005
【図４】
2013004427.tif 000006